(57)【要約】【課題】本発明は振動が殆どなくなり、騒音や掻き残しも殆どなく、且つ、掻上げスピードを上げることが可能となる浮遊物掻上げ装置を提供することを目的とする。【解決手段】掻上げ板１の上面に浮遊物を載せながら外部へ浮遊物が排出されるものであって、案内板２が回転板の外周付近に複数枚軸支され、その案内板２に固着すると共に該案内板２よりも軽いバランスウエイト部材４を配置させたものとする。また案内板２を略くの字状と成し、その下端部に当接板21を着脱可能に取付けると良く、バランスウエイト部材４として、案内板２の基部側と略直角で且つボス部42を介して取付けられたネジ棒41と、該ネジ棒41に螺合して軸方向に移動可能であるウエイト43とから成すものとしても良い。又、当接板21の向きを液面側にするための方向転換用ピン５を設けておくのが好ましい。【選択図】図１
2010001579.tif 000002
【特許請求の範囲】
【請求項１】
液面（Ｌ）に一端を沈めると共に他端を液面（Ｌ）から露出させ且つ排出口側に配置する掻上げ板（１）と、その掻上げ板（１）の上面に浮遊物を載せながら外部へ案内する案内板（２）とによって、上部に溜った浮遊物が外部に排出されるものであって、前記案内板（２）が回転板（３）の外周付近に複数枚軸支され、前記案内板（２）に固着すると共に該案内板（２）よりも軽いバランスウエイト部材（４）を配置させたことを特徴とする浮遊物掻上げ装置。
【請求項２】
前記案内板（２）が略くの字状であり、その下端部に当接板（21）を着脱可能に取付けた請求項１記載の浮遊物掻上げ装置。
【請求項３】
前記バランスウエイト部材（４）が、前記案内板（２）の基部側と略直角で且つボス部（42）を介して取付けられたネジ棒（41）と、該ネジ棒（41）に螺合して軸方向に移動可能であるウエイト（43）とから成された請求項１記載の浮遊物掻上げ装置。
【請求項４】
前記当接板（21）の向きを液面（Ｌ）に沈めた前記掻上げ板（１）の端部側にするための方向転換用ピン（５）が設けられた請求項２記載の浮遊物掻上げ装置。
【発明の詳細な説明】
【技術分野】
【０００１】
本発明は液上部に溜った浮遊物を外部に排出する掻上げ装置に関し、特には抄紙原料よりインキ及び墨を取除くことができるフローテーターに用いる浮遊物掻上げ装置に関する。
【背景技術】
【０００２】
従来、浮遊物掻上げ装置としては、本発明者が提案した特開平６−５７６６９号のフローテーターで用いられた掻上げ装置がある。これは、傾斜した墨掻上げ板が抄紙原料出口層の上部に設けられ、該墨掻上げ板の傾斜上端より落下する墨は、抄紙原料出口層の上部箇所に設けた墨廃棄層内に入るように構成され、墨掻上げ板の上面を、傾斜下部側（液に沈める側）よりも上部側に掻きながら移動する墨掻上げ用案内板が設けられている。この案内板は図５に示すチェーンコンベアのチェーン表面上に定間隔で多数枚配置されたものであった。
【０００３】
しかしながら特開平６−５７６６９号の掻上げ装置は、チェーンコンベアが使用されているため、騒音が発生し、チェーンコンベアの定期的なメンテナンスが必要であった。またチェーンが使用されるために高速回転が難しく、掻上げスピードを上げることが困難であった。更に従来のものは振動等で掻上げ板と案内板とに隙間が生じ易く、その隙間から浮遊物が漏れて掻き残しが発生していた。尚、チェーンコンベア以外に、エアーシリンダーを用いたものもあるが、これはコンプレッサーの動力が大きく、スピードを上げようとすると、案内板の音が大きくなって騒音となり、且つ案内板の消耗及び部品の破損などが発生するものとなっていた。又、上記同様に振動等で掻上げ板と案内板とに隙間が生じ易く、その隙間から浮遊物が漏れて掻き残しが発生しているのが現状であった。
【特許文献１】特開平６−５７６６９号公報
【発明の開示】
【発明が解決しようとする課題】
【０００４】
本発明は振動が殆どなくなり、騒音や掻き残しも殆どなく、且つ、掻上げスピードを上げることが可能となる浮遊物掻上げ装置を提供することを目的とする。
【課題を解決するための手段】
【０００５】
本発明は上記現状に鑑み成されたものであり、特開平６−５７６６９号のフローテーターで用いられた掻上げ装置の掻上げ板の上面に浮遊物を載せながら外部へその浮遊物が排出されるものであって、案内板が回転板の外周付近に複数枚軸支され、その案内板に固着すると共に該案内板よりも軽いバランスウエイト部材を配置させたものとする。また案内板を略くの字状と成し、その下端部に当接板を着脱可能に取付けると良く、バランスウエイト部材として、案内板の基部側と略直角で且つボス部を介して取付けられたネジ棒と、該ネジ棒に螺合して軸方向に移動可能であるウエイトとから成すものとしても良い。又、当接板の向きを液面側にするための方向転換用ピンを設けておくのが好ましい。尚、本発明で言う「案内板よりも軽いバランスウエイト部材」とは、案内板が回動自在に軸支された時、ウエイトによる回転モーメントによって案内板の下部が回転して持上げるウエイト重量よりも軽いウエイト重量のことを指すものとする。又、本発明で言う「案内板の基部側」とは、図１に示すように支持軸に軸支される側を指すものとする。
【発明の効果】
【０００６】
請求項１のように液面（Ｌ）に一端を沈めると共に他端を液面（Ｌ）から露出させ且つタンクの排出口側に掻上げ板（１）を配置し、該掻上げ板（１）の上面に浮遊物を載せながら外部へ案内する案内板（２）が、回転板（３）の外周付近に複数枚軸支され、案内板（２）よりも軽いバランスウエイト部材（４）をその案内板（２）に固着させて配置することにより、案内板（２）が掻上げ板（１）の上面に適宜圧を加えながら液上部に溜った浮遊物が外部へ確実に排出されるものとなるため、浮遊物が効率良く外部へ排出でき、且つ、回転板（３）の回転スピードを上げて掻上げスピードが上がっても、バランスウエイト部材（４）の調節で振動が殆どなくすことが可能であり、案内板（２）が掻上げ板（１）の上面を掻く音は殆ど安定したものとなるため、従来の如き騒音や振動が激減されるものとなる。
【０００７】
請求項２のように案内板（２）を略くの字状とし、その下端部に当接板（21）を着脱可能に取付けることにより、当接板（21）が消耗した際に交換が可能となるため、案内板（２）が掻上げ板（１）の上面を安定して確実に移動されるものとなり、確実な浮遊物の排出が可能となるのである。
【０００８】
請求項３に示すようにバランスウエイト部材（４）が、案内板（２）の基部側と略直角で且つボス部（42）を介して取付けられたネジ棒（41）と、該ネジ棒（41）に螺合して軸方向に移動可能であるウエイト（43）とから成されたものとすることにより、案内板（２）の当接板（21）が常時下方に向き、液上部に溜った浮遊物が外部に効率良く排出可能なものとなる。
【０００９】
請求項４に示すように当接板（21）の向きが液面（Ｌ）に沈めた掻上げ板（１）の端部側にされるための方向転換用ピン（５）を設けることにより、当接板（21）の配置位置が必ず掻上げ板（１）の液面（Ｌ）先端側に来るため、液上部に溜った浮遊物を効率良く外部に排出することが可能なものとなる。
【発明を実施するための最良の形態】
【００１０】
図１、図２は本発明の実施形態を示す図であり、この図に基づいて説明する。（１）は液面（Ｌ）に一端を沈めると共に他端を液面（Ｌ）から露出させて傾斜し且つ流出口側に配置する掻上げ板であり、該掻上げ板（１）は、特開平６−５７６６９号のフローテーターで用いる場合には、図中と同じものを同じ位置に配置すれば良い。（２）は掻上げ板（１）の上面に浮遊物を載せながら外部へ案内する４枚の案内板であり、該案内板（２）は略くの字状に折曲して成形され、且つ、その下端部には当接板（21）が着脱可能に取付けられている。尚、前記案内板（２）の枚数は４枚に限定されるものではない。（３）は図２に示すように両端に対向させて所定間隔離した一対の回転板であり、該回転板（３）の外周付近で４枚の案内板（２）を軸支させている。
【００１１】
（４）は各案内板（２）に固着させると共に該案内板（２）よりも軽いバランスウエイト部材であり、該バランスウエイト部材（４）としては、案内板（２）の基部側と略直角で且つボス部（42）を介して取付けられたネジ棒（41）と、該ネジ棒（41）に螺合して軸方向に移動可能であるウエイト（43）とから成されている（図３参照）。前記ボス部（42）は一対の回転板（３）の間に回動自在に設けられている。またウエイト（43）は案内板（２）の当接板（21）が必ず下方に向くようにするための役目を果すものである。尚、前記ウエイト（43）或いはネジ棒（41）には図示しないが、回転板（３）が高速回転しても落下しないための止ネジ或いはロックナットなどが取付けられている。又、前記バランスウエイト部材（４）を案内板（２）よりも重くすると、回転板（３）の回転中にウエイト（43）が垂直方向に下がり、該ウエイト（43）は後述する方向転換用ピン（５）に当接せずに通過する恐れを生じると共にそのままウエイト（43）が通過すると、当接板（21）による掻上げ作業が行えなくなるのである。
【００１２】
（５）は当接板（21）の向きを液面（Ｌ）側にするためのであり方向転換用ピン、該方向転換用ピン（５）はバランスウエイト部材（４）のウエイト（43）の後部に当接させた際、掻上げ板（１）の液中側に当接板（21）が来るようにさせる位置へ取付けられている。（６）は両端が図２に示すように軸受（７）によって軸支されると共に回転板（３）の中心を貫通し、それに固着する回転軸であり、該回転軸（６）の端部は図示しない駆動装置と接続されている。（８）は一対の回転板（３）を貫通して取付けた支持軸であり、該支持軸（８）はボス部（42）に挿入し、案内板（２）が回転板（３）に対して回動可能に支持するためのものである。
【００１３】
次に本発品を特開平６−５７６６９号のフローテーターで用いる掻上げ装置として取付ける場合について説明する。予め特開平６−５７６６９号に於ける掻上げ板（１）はそのまま残しておき、該掻上げ板（１）の上方に回転軸（６）を架設して回転板（３）が配置される。この時、回転板（３）に取付けた４枚の案内板（２）の当接板（21）が、掻上げ板（１）の上面に適宜圧で摺動することを確認する。又、回転板（３）の回転数を上げてバランスウエイト部材（４）のバランス状態を確認する。アンバランスの時にはウエイト（43）を移動させて調節する。更に前記案内板（２）の当接板（21）が掻上げ板（１）の上面で効率良く移動出来るように、方向転換用ピン（５）の位置も確認しておく。
【００１４】
図４は本発明の作用を示す図であり、この図に基づいて説明する。先ず回転軸（６）が駆動されて回転板（３）を回転させると、特に、図１に示す右側の案内板（２）の動きについて説明すれば、図４（ａ）に示す１点鎖線の位置から降下して来ると、２点鎖線の位置でウエイト（43）の後部が方向転換用ピン（５）に当接する。すると、回転板（３）の回転に従ってウエイト（43）は方向転換用ピン（５）を中心にして回転されるため、当接板（21）は２点鎖線の位置よりも前に出るのである。更に回転板（３）が回転すると、当接板（21）は図４（ｂ）のように掻上げ板（１）の上面に接触すると共にウエイト（43）の重量が当接板（21）に加わり、その当接板（21）は掻上げ板（１）の上面を押圧する。そして回転板（３）の回転に従って当接板（21）は、図４（ｃ）に示す２点鎖線から掻上げ板（１）の上面を水平移動するのである。この時、掻上げ板（１）の上面に溜った浮遊物を案内板（２）で掻上げながら外部へ排出させるのである。
【産業上の利用可能性】
【００１５】
本発明品は製紙以外に、魚の加工工場や、食品関係に於ける浮遊物の除去、廃水処理場などに於いても使用することが可能となる。
【図面の簡単な説明】
【００１６】
【図１】本発明の実施形態の要部を示す説明図である。
【図２】図１のＡ―Ａ断面図である。
【図３】本実施形態の案内板を示す斜視図である。
【図４】本発明の作用を示す説明図である。
【図５】従来品を取付けたフローテーターの概略図である。
【符号の説明】
【００１７】
Ｌ  液面
１  掻上げ板
２  案内板
21  当接板
３  回転板
４  バランスウエイト部材
41  ネジ棒
42  ボス部
43  ウエイト
５  方向転換用ピン
【図１】
2010001579.tif 000003
【図２】
2010001579.tif 000004
【図３】
2010001579.tif 000005
【図４】
2010001579.tif 000006
【図５】
2010001579.tif 000007